(57)【要約】      （修正有）【課題】耳掛けがなくても口と鼻とその周辺をウィルス飛沫から保護する立体マスクを提供する。【解決手段】１枚の連続した素材又は相互に接合された左右一対の素材より成るマスク本体１０３と、マスクの左右両端部において上端付近から下端付近までを上下方向の分布範囲としてマスク本体に備わる一対の粘着性部材１０５−１、２と、を備え、マスク本体の上端中央付近に切り込み１１１を有し、マスク本体を平面状に展開したときに上方に向かうに従って拡がる切り込みを挟んで相互に離間する一対の上部接合辺同士を接合することにより立体形状となり、一対の上部接合辺の交点１０３ｆを頂点とした円錐体が頂点の周辺領域に形成される。【選択図】図１
0003227455.tif 000002
【実用新案登録請求の範囲】
【請求項１】
１枚の連続した素材又は相互に接合された左右一対の素材より成るマスク本体と、
前記マスクの左右両端部において上端付近から下端付近までを上下方向の分布範囲として前記マスク本体に備わる一対の粘着性部材と、
を備え、
前記マスク本体の上端中央付近に設けられた切り込みであって、前記マスク本体を平面状に展開したときに上方に向かうに従って拡がる切り込みを挟んで相互に離間する一対の上部突出部の相互に向かい合う一対の上部接合辺同士を接合することによる立体形状を前記マスク本体は有し、
前記一対の上部接合辺同士を接合することにより、前記一対の上部接合辺の交点を頂点とした円錐体が前記マスク本体の該頂点の周辺領域に形成された、
立体マスク。
【請求項２】
１枚の連続した素材又は相互に接合された左右一対の素材より成るマスク本体と、
前記マスクの左右両端部において上端付近から下端付近までを上下方向の分布範囲として前記マスク本体に備わる一対の粘着性部材と、
を備え、
前記マスク本体の上端中央付近に設けられた切り込みであって、前記マスク本体を平面状に展開したときに上方に向かうに従って拡がる切り込みを挟んで相互に離間する一対の上部突出部の相互に向かい合う一対の上部接合辺同士を接合し、更に、前記マスク本体の下端中央付近に設けられた切り込みであって、前記マスク本体を平面状に展開したときに下方に向かうに従って拡がる切り込みを挟んで相互に離間する一対の下部突出部の相互に向かい合う一対の下部接合辺同士を接合することによる立体形状を前記マスク本体は有し、
前記一対の上部接合辺同士を接合することにより、前記一対の上部接合辺の交点を頂点とした円錐体体が前記マスク本体の該頂点の周辺領域に形成された、
立体マスク。
【請求項３】
請求項１又は２に記載の立体マスクであって、
マスク本体の左右両側について、前記マスク本体の片側中央部の高さＨ１は、
Ｈ１≧８０ｍｍ
の関係を満たし、
マスク本体の左右両側について、前記マスク本体の片側中央部の高さＨ１と、前記粘着性部材の高さＨ２の比率は、
Ｈ２／Ｈ１≧７５％
の関係を満たす、
立体マスク。
【請求項４】
請求項１乃至３の何れか１項に記載の立体マスクであって、
前記マスク本体の素材は、ポリエチレン発泡シートであり、
前記粘着性部材は、皮膚用パッチテストに合格したものであることを特徴とする立体マスク。
【考案の詳細な説明】
【技術分野】
【０００１】
本考案は、立体マスクに関する。
【背景技術】
【０００２】
マスクは、従前よりインフルエンザ予防などの衛生管理のために用いられている。
【先行技術文献】
【特許文献】
【０００３】
【特許文献１】実開平７−３８６号公報
【考案の概要】
【考案が解決しようとする課題】
【０００４】
美容院や、理髪店、カラー専門店でサービスを提供する人と受ける人とは近接するため、双方ともマスクを装着して、ウィルス感染を防止する必要がある。しかし、サービスの提供を受ける人が通常の耳掛けの付いたマスクを装着すると、サービスの提供を受けることができなくなってしまう。例えば、耳の周辺にある毛髪を整えたり、切ったりすることの妨げになってしまう。
【０００５】
特許文献１に開示されているマスクは、耳掛けがなくても装着できるものであるが、口と鼻とその周辺をウィルス飛沫から十分に保護することができているとはいえない。
【０００６】
そこで、本考案は、耳掛けがなくても口と鼻とその周辺をウィルス飛沫から保護する立体マスクを提供することを目的とする。
【課題を解決するための手段】
【０００７】
本考案によれば、
１枚の連続した素材又は相互に接合された左右一対の素材より成るマスク本体と、
前記マスクの左右両端部において上端付近から下端付近までを上下方向の分布範囲として前記マスク本体に備わる一対の粘着性部材と、
を備え、
前記マスク本体の上端中央付近に設けられた切り込みであって、前記マスク本体を平面状に展開したときに上方に向かうに従って拡がる切り込みを挟んで相互に離間する一対の上部突出部の相互に向かい合う一対の上部接合辺同士を接合することによる立体形状を前記マスク本体は有し、
前記一対の上部接合辺同士を接合することにより、前記一対の上部接合辺の交点を頂点とした円錐体が前記マスク本体の該頂点の周辺領域に形成された、
立体マスクが提供される。
【０００８】
また、本考案によれば、
１枚の連続した素材又は相互に接合された左右一対の素材より成るマスク本体と、
前記マスクの左右両端部において上端付近から下端付近までを上下方向の分布範囲として前記マスク本体に備わる一対の粘着性部材と、
を備え、
前記マスク本体の上端中央付近に設けられた切り込みであって、前記マスク本体を平面状に展開したときに上方に向かうに従って拡がる切り込みを挟んで相互に離間する一対の上部突出部の相互に向かい合う一対の上部接合辺同士を接合し、更に、前記マスク本体の下端中央付近に設けられた切り込みであって、前記マスク本体を平面状に展開したときに下方に向かうに従って拡がる切り込みを挟んで相互に離間する一対の下部突出部の相互に向かい合う一対の下部接合辺同士を接合することによる立体形状を前記マスク本体は有し、
前記一対の上部接合辺同士を接合することにより、前記一対の上部接合辺の交点を頂点とした円錐体体が前記マスク本体の該頂点の周辺領域に形成された、
立体マスクが提供される。
【０００９】
更に、本考案によれば、
上記の立体マスクであって、
マスク本体の左右両側について、前記マスク本体の片側中央部の高さＨ１は、
Ｈ１≧８０ｍｍ
の関係を満たし、
マスク本体の左右両側について、前記マスク本体の片側中央部の高さＨ１と、前記粘着性部材の高さＨ２の比率は、
Ｈ２／Ｈ１≧７５％
の関係を満たす、
立体マスクが提供される。
【００１０】
更に、本考案によれば、
前記マスク本体の素材は、ポリエチレン発泡シートであり、
前記粘着性部材は、皮膚用パッチテストに合格したものであることを特徴とする立体マスクが提供される。
【考案の効果】
【００１１】
本考案によれば、耳掛けがなくても口と鼻とその周辺をウィルス飛沫から保護することが可能になる。
【図面の簡単な説明】
【００１２】
【図１】本考案の第１の実施の形態による立体マスクの平面展開図である。
【図２】本考案の第１の実施の形態による立体マスクの他の平面展開図である。
【図３】本考案の第１の実施の形態による立体マスクの着装状態を示す正面図である。
【図４】本考案の第１の実施の形態による立体マスクの着装状態を示す側面図である。
【図５】本考案の第１の実施の形態による立体マスクの着装状態を示す斜視図である。
【図６】本考案の第２の実施の形態による立体マスクの平面展開図である。
【図７】本考案の第２の実施の形態による立体マスクの他の平面展開図である。
【図８】本考案の第２の実施の形態による立体マスクの着装状態を示す正面図である。
【図９】本考案の第２の実施の形態による立体マスクの着装状態を示す側面図である。
【図１０】本考案の第２の実施の形態による立体マスクの着装状態を示す斜視図である。
【図１１】本考案の第３の実施の形態による立体マスクの平面展開図である。
【図１２】本考案の第４の実施の形態による立体マスクの平面展開図である。
【図１３】本考案の第５の実施の形態による立体マスクの平面展開図である。
【図１４】本考案の第６の実施の形態による立体マスクの平面展開図である。
【図１５】本考案の第７の実施の形態による立体マスクの平面展開図である。
【図１６】本考案の第８の実施の形態による立体マスクの平面展開図である。
【図１７】本考案の第９の実施の形態による立体マスクの平面展開図である。
【図１８】本考案の第１０の実施の形態による立体マスクの平面展開図である。
【考案を実施するための形態】
【００１３】
以下、図面を参照して本考案を実施するための形態について詳細に説明する。
【００１４】
［第１の実施の形態］
図１を参照すると、第１の実施の形態による立体マスク１０１は、１枚の連続した素材より成るマスク本体１０３と、マスク本体１０３の左右両端部（ＬＳ方向の端部及びＲＳ方向の端部）１０３ａ−１、１０３ａ−２において上端（ＵＳ方向の端部）付近から下端（ＬＳ方向の端部）付近までを上下方向の分布範囲としてマスク本体１０３に備わる一対の粘着性部材１０５−１、１０５−２と、を備える。
【００１５】
マスク本体１０３の上端中央付近には、切り込み１１１が設けられている。切り込み１１１は、マスク本体１０３を平面状に展開したときに上方（ＵＳ方向）に向かうに従って拡がるような形状を有している。
【００１６】
一対の上部突出部１０３ｂ−１、１０３ｂ−２は、切り込み１１１を挟んで相互に離間する位置に設けられている。
【００１７】
一対の上部突出部１０３ｂ−１、１０３ｂ−２の相互に向かい合う上部接合辺１０３ｃ−１、１０３ｃ−２同士を接合することによりマスク本体１０３は、立体形状を有するようになる。接合のためには、熱、音波などを用いる。
【００１８】
図２を参照すると、マスク本体１０３を平面状に展開したときのマスク本体１０３の最下部（ＬＳ方向端部）から上部突出部（ＵＳ方向突出部）１０３ｂ−１、１０３ｂ−２までの高さＨ０、マスク本体１０３の片側中央部の高さＨ１、及び、粘着性部材の高さＨ２は、例えば、それぞれ、
Ｈ０＝１１４ｍｍ
Ｈ１＝８９．９ｍｍ
Ｈ２＝６８ｍｍ
である。従って、
Ｈ２／Ｈ１＝６８／８９．９＝７６％
である。
【００１９】
この数値は、あくまで一例であり、
Ｈ１≧８０ｍｍ
Ｈ２／Ｈ１≧７５％
の関係が満たされていればよい。
【００２０】
Ｈ１≧８０ｍｍ
であれば、マスクが十分口の周辺を覆うことになり、マスクの下辺と顔との間にもマスクの上辺と顔の間にも隙間が殆ど生じなくなる。
【００２１】
Ｈ２／Ｈ１≧７５％
であれば、マスクの左右の辺と顔との間に隙間が殆ど生じなくなる。
【００２２】
また、マスク本体１０３を左右方向に適度に伸ばしマスク本体１０３が顔に密着するようにしてから、粘着性部材１０５−１、１０５−２を顔に貼り付けることにより、マスクの辺と顔との間の隙間を更に減らすことができる。
【００２３】
図３、図４及び図５に示すように、立体マスク本体１０３は、口、鼻及びその周辺（頬、顎など）を密着した状態で覆う。
【００２４】
一例として、一対の突出部１０３ｂ−１、１０３ｂ−２の相互に向かい合う上部接合辺１０３ｃ−１、１０３ｃ−２の長さはそれぞれ３０ｍｍであり、また、上部接合辺１０３ｃ−１、１０３ｃ−２のなす角度は約８４度である。従って、図３、図４及び図５に示すように、上部接合辺１０３ｃ−１、１０３ｃ−２を接合することにより一対の突出部１０３ｂ−１、１０３ｂ−２により構成された鼻当部は、鼻を適度に覆うことになる。
【００２５】
特に、マスク本体１０３を顔に装着しないで二つ折りにしている状態のマスク本体１０３の半分を見たときに（つまり、図１、図２に示すマスク本体１０３の右半分又は左半分を見たときに）上部接合辺１０３ｃ−１、１０３ｃ−２は、マスク本体１０３の折り目部分の辺（つまり、ＵＳ−ＬＳ方向に延びるＬＳ−ＲＳ方向における中央線）の方向に対して約４２度の傾斜角を持つことになる。また、上部接合辺１０３ｃ−１、１０３ｃ−２を接合した後に、顔に装着しないでマスク本体１０３を左右方向に大きく拡げたときには、上部接合辺１０３ｃ−１、１０３ｃ−２同士が引き合うためにこの角度は９０度近くまで拡がり、上部突出部１０３ｂ−１と上部突出部１０３ｂ−２は、同一平面に並ぶようになるため、鼻当部の面は１つの平面になる。このとき、鼻当部の面は、マスク本体１０３の他の部分の面に対して約９０度の角度をもって傾斜するようになる。
【００２６】
マスク本体１０３を顔に装着する場合には、マスク本体１０３は、頭の上から見たときに右方向に約４５度、左方向に約４５度開き、このため、鼻当部の面は、マスク本体１０３の他の部分の面に対して約６０度から７０度程度の角度をもって傾斜しようとするが、実際には、鼻に突き当たるため、鼻の鼻頭より上の部分を圧力をもって覆うことになる。従って、図３、図４及び図５に示すように、鼻当部は、鼻の鼻頭より上の部分に密着するようになり、鼻当部及びその周辺においてマスク本体１０３の縁と顔との間には殆ど隙間がない状態になる。
【００２７】
図１を参照すると、上部接合辺１０３ｃ−１と上部接合辺１０３ｃ−２を上述したように接合すると、この２つの辺の交点１０３ｆを頂点として、上側突出部１０３ｂ−１、１０３ｂ−２及び交点１０３ｆの左右両側及び下側に拡がる交点周辺部１０３ｇは、１つの円錐体を形成するようになる。
【００２８】
従って、マスク本体１０３を顔に装着した場合、上側突出部１０３ｂ−１、１０３ｂ−２により構成される鼻当部が鼻の鼻頭より上の部分に密着しても、鼻頭から人中にかけては、マスク本体１０３（特に、交点周辺部１０３ｇ）と顔の間には空間が形成される。
【００２９】
従って、鼻当部が鼻の鼻頭の上の部分に密着するようにマスク本体１０３を装着しても、マスク本体１０３（特に交点周辺部１０３ｇ）が鼻穴に接触しない状態を維持することができる。特に、円錐体は、形状由来で或る程度の強度を持つため、強く息を吸ってもそのような状態を維持することができる。
【００３０】
また、マスク本体１０３の素材として、後述するように通気性のあるポリエチレン発泡シートを使用する。ポリエチレン発泡シートは、独立気泡ではなく連結気泡により構成されている。従って、ポリエチレン発泡シートは飛沫などを通さないフィルタ効果を持つが、呼吸の障害にはならない。従って、マスク本体１０３のポリエチレン発泡シートを出入り口として、鼻頭から人中にかけてマスク本体１０３（特に、交点周辺部１０３ｇ）と顔との間に形成された空間を介して、鼻穴を通る吸気及び呼気を流すことができるようになる。
【００３１】
マスク本体１０３の左右の上辺１０３ｄ−１、１０３ｄ−２は、全体として水平方向（ＲＳ−ＬＳの方向）を向いている。従って、マスク本体１０３は、図３、図４及び図５に示すように頬全体を覆うようになる。
【００３２】
マスク本体１０３の左の上辺１０３ｄ−１は、圧力により鼻に密着する突起部１０３ｂ−１と粘着性部材１０５−１により顔に密着する粘着性部材１０５−１の周辺部との間にあるので、頬に密着する。これにより、上辺１０３ｄ−１と頬の間の隙間からカットした頭髪が頬に侵入することを防止することができる。マスク本体１０３の右の上辺１０３ｄ―２についても同様である。
【００３３】
マスク本体１０３の左の下辺１０３ｅ−１は、左（ＬＳの方向）に進むに従って、上（ＵＳの方向）に進むように傾斜している。同様に、マスク本体１０３の右の下辺１０３ｅ−２は、右（ＬＳの方向）に進むに従って、上（ＵＳの方向）に進むように傾斜している。従って、図４及び図５に示すように、装着時に、マスク本体１０３の下辺１０３ｅ−１、１０３ｅ−２の傾斜角度が下顎の縁の傾斜角度に近くなり、美容師や整髪師が頭髪のカットをする際、目測を誤ることを防止することができる。
【００３４】
また、上記のような寸法と形状を有しているため、マスク本体１０３は、目から下の顔全体を覆うことができる。特に、マスク本体１０３は、目頭付近も覆うことができる。
【００３５】
マスク本体１０３の素材としては、例えば、ポリエチレン発泡シートが選択される。一例として、マスク本体１０３の素材としては、三和化工株式会社のオプセルＬＣ−１５０、又は、オプセルＬＣ−１５０Ｓが選択される。
【００３６】
オプセルＬＣ−１５０の試験成績書には、
試験方法：ＪＩＳ  Ｋ６７６７（１９９９）
試験結果：
見かけ密度：５０ｋｇ／立方メートル
引張強さ：０．２７ＭＰａ
伸び：２７５％
圧縮応力（１０％）：９ｋＰａ
圧縮応力（２５％）：１０ｋＰａ
圧縮応力（５０％）：１４ｋＰａ
圧縮永久歪（５０％圧縮、３０分後）：３．１％
圧縮永久歪（５０％圧縮、２４時間後）：１．６％
熱的安定性（Ｂ法）：−１．８％
が記載されている。
【００３７】
また、オプセルＬＣ−１５０Ｓの試験成績書には、
試験方法：ＪＩＳ  Ｋ６７６７（１９９９）
試験結果：
見かけ密度：５０ｋｇ／立方メートル
引張強さ：０．２０ＭＰａ
伸び：２８０％
圧縮応力（１０％）：５ｋＰａ
圧縮応力（２５％）：７ｋＰａ
圧縮応力（５０％）：１０ｋＰａ
圧縮永久歪（５０％圧縮、３０分後）：５．０
圧縮永久歪（５０％圧縮、２４時間後）：２．０
熱的安定性（Ｂ法）：−３  
が記載されている。
【００３８】
粘着性部材１０５−１、１０５−２として、皮膚用パッチテストに合格したものを使用することにより皮膚のかぶれや炎症を防止することができる。例えば、粘着性部材としては、ウィグの皮膚への固定のためにも使用することができる３Ｍ社の両面粘着テープＮｏ．１５２２が選択される。
【００３９】
なお、粘着性部材１０５−１、１０５−２には、離型紙が貼られており、立体マスクの使用直前にこれを剥がす。
【００４０】
第１の実施の形態による立体マスクによれば、上述した効果を含め、以下の効果が奏される。
・立体マスクを装着するために紐やゴムなどの耳掛けを耳に掛ける必要がないので、例えば、美容院や理髪店、カラー専門店でお客様に着装してもらうことができる。従って、お客様は、ウィルス感染に心配することなく美容院や、理髪店、カラー専門店に行くことができるし、美容師や、理髪師、カラー技術者は安心して営業することができる。また、花粉症や鼻炎の症状があるお客様も、美容院や、理髪店、カラー専門店に行くことができる。
・マスク本体の素材としてポリエチレン発泡シートを使用しているので、ウィルスを含んだ飛沫が口や鼻やそれらの周辺に侵入することを防止することができる。
・マスク本体の素材としてポリエチレン発泡シートを使用しているので、カットした髪がマスク本体を貫通しにくく、従ってマスク本体を貫通して肌に到達した髪による不快感をお客様が被ることがない。
・マスク本体の素材として水によって変質しないポリエチレン発泡シートを使用しているので、美容院や理髪店において、洗髪の際に水がかかっても、性能が低下しない。
・マスク本体の素材として伸縮性のあるポリエチレン発泡シートを使用しているので、装着時にマスク本体を伸ばしてから粘着性部材を顔に貼り付けることができ、上述したように、マスクの辺と顔との間の隙間を減らすことができる。従って、ウィルスの飛沫がマスクと顔の隙間から口などに侵入することを避けることができる。
・絞りを入れた顎部を設けていないので、人によって異なる顎部の寸法を粘着性部材を貼り付ける顔の位置を調整することにより吸収することができる。また、顎部が下から顎にかからないので、会話が楽になるし、会話をすることによりマスクが下に引っ張られたり移動したりすることを避けることができる。
・粘着位置が調整可能になり、良好な密着性で快適使用感を得ることができる。
・溶着箇所が１カ所であるためマスクを安価に製造することができる。
【００４１】
［第２の実施の形態］
図６を参照すると、第２の実施の形態による立体マスク２０１は、１枚の連続した素材より成るマスク本体２０３と、マスク本体２０３の左右両端部（ＬＳ方向の端部及びＲＳ方向の端部）２０３ａ−１、２０３ａ−２において上端（ＵＳ方向の端部）付近から下端（ＬＳ方向の端部）付近までを上下方向の分布範囲としてマスク本体２０３に備わる一対の粘着性部材２０５−１、２０５−２と、を備える。
【００４２】
マスク本体２０３の上端中央付近には、切り込み２１１が設けられている。切り込み２１１は、マスク本体２０３を平面状に展開したときに上方（ＵＳ方向）に向かうに従って拡がるような形状を有している。
【００４３】
一対の上部突出部２０３ｂ−１、２０３ｂ−２は、切り込み２１１を挟んで相互に離間する位置に設けられている。
【００４４】
マスク本体２０３の下端中央付近には、切り込み２１３が設けられている。切り込み２１３は、マスク本体２０３を平面状に展開したときに下方（ＬＳ方向）に向かうに従って拡がるような形状を有している。
【００４５】
一対の下部突出部２０３ｈ−１、２０３ｈ−２は、切り込み２１３を挟んで相互に離間する位置に設けられている。
【００４６】
一対の上部突出部１０３ｂ−１、１０３ｂ−２の相互に向かい合う上部接合辺１０３ｃ−１、１０３ｃ−２同士を接合し、更に、一対の下部突出部２０３ｈ−１、２０３ｈ−２の相互に向かい合う下部接合辺２０３ｊ−１、２０３ｊ−２同士を接合することによりマスク本体２０３は、立体形状を有するようになる。接合のためには、熱、音波などを用いる。
【００４７】
図７を参照すると、マスク本体２０３を平面状に展開したときのマスク本体２０３の最下部（ＬＳ方向端部）から上部突出部（ＵＳ方向端部）２０３ｂ−１、２０３ｂ−２までの高さＨ０、マスク本体２０３の片側中央部の高さＨ１、及び、粘着性部材の高さＨ２は、例えば、それぞれ、
Ｈ０＝１２６．３ｍｍ
Ｈ１＝１０１ｍｍ
Ｈ２＝７８．５ｍｍ
である。従って、
Ｈ２／Ｈ１＝７８．５／１０１＝７８％
である。
【００４８】
この数値は、あくまで一例であり、
Ｈ１≧８０ｍｍ
Ｈ２／Ｈ１≧７５％
の関係が満たされていればよい。
【００４９】
Ｈ１≧８０ｍｍ
であれば、マスクが十分口の周辺を覆うことになり、マスクの下辺と顔との間にもマスクの上辺と顔の間にも隙間が殆ど生じなくなる。
【００５０】
Ｈ２／Ｈ１≧７５％
であれば、マスクの左右の辺と顔の間に隙間が殆ど生じなくなる。
【００５１】
また、マスク本体２０３を左右方向に適度に伸ばしマスク本体２０３が顔に密着するようにしてから、粘着性部材２０５−１、２０５−２を顔に貼り付けることにより、マスクの辺と顔との間の隙間を更に減らすことができる。
【００５２】
図８、図９及び図１０に示すように、立体マスク本体２０３は、口、鼻及びその周辺（頬、顎など）を密着した状態で覆う。
【００５３】
一対の突出部２０３ｂ−１、２０３ｂ−２の相互に向かい合う上部接合辺２０３ｃ−１、２０３ｃ−２の長さはそれぞれ３０ｍｍであり、また、上部接合辺２０３ｃ−１、２０３ｃ−２のなす角度は約８４度である。従って、図８、図９及び図１０に示すように、上部接合辺２０３ｃ−１、２０３ｃ−２を接合することにより一対の突出部２０３ｂ−１、２０３ｂ−２により構成された鼻当部は、鼻を適度に覆うことになる。
【００５４】
特に、マスク本体２０３を顔に装着しないで二つ折りにしている状態のマスク本体２０３の半分を見たときに（つまり、図６、図７に示すマスク本体２０３の右半分又は左半分を見たときに）上部接合辺２０３ｃ−１、２０３ｃ−２は、マスク本体２０３の折り目部分の辺（つまり、ＵＳ−ＬＳ方向に延びるＬＳ−ＲＳ方向における中央線）の方向に対して約４２度の傾斜角を持つことになる。また、上部接合辺２０３ｃ−１、２０３ｃ−２を接合した後に、顔に装着しないでマスク本体２０３を左右方向に大きく拡げたときには、上部接合辺２０３ｃ−１、２０３ｃ−２同士が引き合うためにこの角度は９０度近くまで拡がり、上部突出部２０３ｂ−１と上部突出部２０３ｂ−２は、同一平面に並ぶようになるため、鼻当部の面は１つの平面になる。このとき、鼻当部の面は、マスク本体２０３の他の部分の面に対して約９０度の角度をもって傾斜するようになる。
【００５５】
マスク本体２０３を顔に装着する場合には、マスク本体２０３は、頭の上から見たときに右方向に約４５度、左方向に約４５度開き、このため、鼻当部の面は、マスク本体２０３の他の部分の面に対して約６０度から７０度程度の角度をもって傾斜しようとするが、実際には、鼻に突き当たるため、鼻の鼻頭より上の部分を圧力をもって覆うことになる。従って、図８、図９及び図１０に示すように、鼻当部は、鼻の鼻頭より上の部分に密着するようになり、鼻当部及びその周辺においてマスク本体２０３の縁と顔との間には殆ど隙間がない状態になる。
【００５６】
図６を参照すると、上部接合辺２０３ｃ−１と上部接合辺２０３ｃ−２を上述したように接合すると、この２つの辺の交点２０３ｆを頂点として、上側突出部２０３ｂ−１、２０３ｂ−２及び交点２０３ｆの両側及び下側に拡がる交点周辺部２０３ｇは、１つの円錐体を形成するようになる。
【００５７】
従って、マスク本体２０３を顔に装着した場合、上側突出部２０３ｂ−１、２０３ｂ−２により構成される鼻当部が鼻の鼻頭より上の部分に密着しても、鼻頭から人中にかけては、マスク本体２０３（特に、交点周辺部２０３ｇ）と顔の間には空間が形成される。
【００５８】
従って、鼻当部が鼻の鼻頭の上の部分に密着するようにマスク本体２０３を装着しても、マスク本体２０３（特に交点周辺部２０３ｇ）が鼻穴に接触しない状態を維持することができる。特に、円錐体は、形状由来で或る程度の強度を持つため、強く息を吸ってもそのような状態を維持することができる。
【００５９】
また、マスク本体１０３の素材として、後述するように通気性のあるポリエチレン発泡シートを使用する。ポリエチレン発泡シートは、独立気泡ではなく連結気泡により構成されている。従って、ポリエチレン発泡シートは飛沫などを通さないフィルタ効果を持つが、呼吸の障害にはならない。従って、マスク本体１０３のポリエチレン発泡シートを出入り口として、鼻頭から人中にかけてマスク本体１０３（特に、交点周辺部１０３ｇ）と顔との間に形成された空間を介して、鼻穴を通る吸気及び呼気を流すことができるようになる。
【００６０】
マスク本体２０３の左右の上辺２０３ｄ−１、２０３ｄ−２は、全体として水平方向（ＲＳ−ＬＳの方向）を向いている。従って、マスク本体２０３は、図８、図９及び図１０に示すように頬全体を覆うようになる。
【００６１】
マスク本体２０３の左の上辺２０３ｄ−１は、圧力により鼻に密着する突起部２０３ｂ−１と粘着性部材２０５−１により顔に密着する粘着性部材２０５−１の周辺部の間にあるので、頬に密着する。これにより、上辺２０３ｄ−１と頬の間の隙間からカットした頭髪が頬に侵入することを防止することができる。マスク本体２０３の右の上辺２０３ｄ―２についても同様である。
【００６２】
マスク本体２０３の左の下辺２０３ｅ−１は、左（ＬＳの方向）に進むに従って、上（ＵＳの方向）に進むように傾斜している。同様に、マスク本体２０３の右の下辺２０３ｅ−２は、右（ＬＳの方向）に進むに従って、上（ＵＳの方向）に進むように傾斜している。従って、図９及び図１０に示すように、装着時に、マスク本体２０３の下辺２０３ｅ−１、２０３ｅ−２の傾斜角度が下顎の縁の傾斜角度に近くなり、美容師や整髪師が頭髪のカットをする際、目測を誤ることを防止することができる。
【００６３】
また、上記のような寸法と形状を有しているため、マスク本体２０３は、目から下の顔全体を覆うことができる。特に、マスク本体２０３は、目頭付近も覆うことができる。
【００６４】
マスク本体２０３の素材は、第１の実施の形態のマスク本体１０３の素材と同様であるので、重複した説明を省略する。
【００６５】
粘着性部材２０５−１、２０５−２としては、第１の実施の形態の粘着性部材１０５−１、１０５−２と同様なものを使用するので重複した説明を省略する。
【００６６】
第２の実施の形態による立体マスクによれば、上述した効果を含め、以下の効果が奏される。
・立体マスクを装着するために紐やゴムなどの耳掛けを耳に掛ける必要がないので、例えば、美容院や理髪店、カラー専門店でお客様に着装してもらうことができる。従って、お客様は、ウィルス感染に心配することなく美容院や、理髪店、カラー専門店に行くことができるし、美容師や、理髪師、カラー技術者は安心して営業することができる。また、花粉症や鼻炎の症状があるお客様も、美容院や、理髪店、カラー専門店に行くことができる。
・マスク本体の素材としてポリエチレン発泡シートを使用しているので、ウィルスを含んだ飛沫が口や鼻やそれらの周辺に侵入することを防止することができる。
・マスク本体の素材としてポリエチレン発泡シートを使用しているので、カットした髪がマスク本体を貫通しにくく、従ってマスク本体を貫通して肌に到達した髪による不快感をお客様が被ることがない。
・マスク本体の素材として水によって変質しないポリエチレン発泡シートを使用しているので、美容院や理髪店において、洗髪の際に水がかかっても、性能が低下しない。
・マスク本体の素材として伸縮性のあるポリエチレン発泡シートを使用しているので、装着時にマスク本体を伸ばしてから粘着性部材を顔に貼り付けることができ、上述したように、マスクの辺と顔との間の隙間を減らすことができる。従って、ウィルスの飛沫がマスクと顔の隙間から口などに侵入することを避けることができる。
・粘着位置が調整可能になり、良好な密着性で快適使用感を得ることができる。
・溶着箇所が１カ所であるためマスクを安価に製造することができる。
【００６７】
［第３の実施の形態］
第１の実施の形態のマスク１０１において、図１１に示すように、左右両端部１０３ａ−１、１０３ａ−２において粘着性部材１０５−１、１０５−２を２列並べてもよい。
【００６８】
［第４の実施の形態］
第１の実施の形態のマスク１０１において、図１２に示すように、左右両端部１０３ａ−１、１０３ａ−２それぞれの全体を覆う粘着性部材１０５−１、１０５−２を用いてもよい。
【００６９】
［第５の実施の形態］
第１の実施の形態のマスク１０１において、図１３に示すように、左右両端部１０３ａ−１、１０３ａ−２において粘着性部材１０５−１、１０５−２を２列並べ、更に、マスク本体１０１の左右の上端部に粘着性部材１０５−１、１０５−２を配置して、マスク本体１０１の左右の下端部に粘着性部材１０５−１、１０５−２を配置してもよい。
【００７０】
［第６の実施の形態］
第２の実施の形態のマスク２０１において、図１４に示すように、左右両端部２０３ａ−１、２０３ａ−２において粘着性部材２０５−１、２０５−２を２列並べてもよい。
【００７１】
［第７の実施の形態］
第２の実施の形態のマスク２０１において、図１５に示すように、左右両端部２０３ａ−１、２０３ａ−２それぞれの全体を覆う粘着性部材２０５−１、２０５−２を用いてもよい。
【００７２】
［第８の実施の形態］
第２の実施の形態のマスク２０１において、図１６に示すように、左右両端部２０３ａ−１、２０３ａ−２において粘着性部材２０５−１、２０５−２を２列並べ、更に、マスク本体２０１の左右の上端部に粘着性部材２０５−１、２０５−２を配置して、マスク本体２０１の左右の下端部に粘着性部材２０５−１、２０５−２を配置してもよい。
【００７３】
［第９の実施の形態］
第１の実施の形態のマスク１０１において、図１７に示すように、別々に用意した左側マスク本体１０３−１と右側マスク本体１０３−２を接合してマスク本体１０３を形成してもよい。
【００７４】
［第１０の実施の形態］
第２の実施の形態のマスク２０１において、図１８に示すように、別々に用意した左側マスク本体２０３−１と右側マスク本体２０３−２を接合してマスク本体２０３を形成してもよい。
【００７５】
本考案はその精神または主要な特徴から逸脱することなく、他の種々の形で実施することができる。そのため、前述した各実施形態は単なる例示にすぎず、限定的に解釈されるべきではない。本考案の範囲は実用新案登録請求の範囲によって示すものであって、明細書本文にはなんら拘束されない。さらに、実用新案登録請求の範囲の均等範囲に属する変形や変更はすべて本考案の範囲内のものである。
【産業上の利用可能性】
【００７６】
本考案は、マスクに利用することができる。
【符号の説明】
【００７７】
１０１  立体マスク
１０３  マスク本体
１０３−１  左側マスク本体
１０３−２  右側マスク本体
１０３ａ−１、１０３ａ―２  左右両端部
１０３ｂ−１、１０３ｂ−２  上部突出部
１０３ｃ−１、１０３ｃ−２  上部接合辺
１０３ｄ−１、１０３ｄ−２  上辺
１０３ｅ−１、１０３ｅ−２  下辺
１０３ｆ  交点
１０３ｇ  交点周辺部
１０５−１、１０５−２  粘着性部材
１１１  切り込み
２０１  立体マスク
２０３  マスク本体
２０３−１  左側マスク本体
２０３−２  右側マスク本体
２０３ａ−１、２０３ａ―２  左右両端部
２０３ｂ−１、２０３ｂ−２  上部突出部
２０３ｃ−１、２０３ｃ−２  上部接合辺
２０３ｄ−１、２０３ｄ−２  上辺
２０３ｅ−１、２０３ｅ−２  下辺
２０３ｆ  交点
２０３ｇ  交点周辺部
２０３ｈ−１、２０３ｈ−２  下部突出部
２０３ｊ−１、２０３ｊ−２  下部接合辺
２０５−１、２０５−２  粘着性部材
２１１  切り込み
【図１】
0003227455.tif 000003
【図２】
0003227455.tif 000004
【図３】
0003227455.tif 000005
【図４】
0003227455.tif 000006
【図５】
0003227455.tif 000007
【図６】
0003227455.tif 000008
【図７】
0003227455.tif 000009
【図８】
0003227455.tif 000010
【図９】
0003227455.tif 000011
【図１０】
0003227455.tif 000012
【図１１】
0003227455.tif 000013
【図１２】
0003227455.tif 000014
【図１３】
0003227455.tif 000015
【図１４】
0003227455.tif 000016
【図１５】
0003227455.tif 000017
【図１６】
0003227455.tif 000018
【図１７】
0003227455.tif 000019
【図１８】
0003227455.tif 000020